【手続補正書】
【提出日】平成20年1月7日(2008.1.7)
【手続補正１】
【補正対象書類名】特許請求の範囲
【補正対象項目名】全文
【補正方法】変更
【補正の内容】
【特許請求の範囲】
【請求項１】
固定鏡筒に対してレンズを光軸方向に駆動する駆動装置であって、
前記レンズ側に固定されたコイルと、
前記固定鏡筒側に取り付けられたマグネットおよびヨークと、を有し、
前記固定鏡筒には、前記マグネットの磁力を用いて前記マグネットおよび前記ヨークを固定する当接部が設けられていることを特徴とする駆動装置。
【請求項２】
前記マグネットの磁力方向に対して直交する方向を第１の方向とし、該磁力方向および前記第１の方向に直交する方向を第２の方向とするとき、
前記固定鏡筒には、前記第１および第２の方向において、前記ヨークおよび前記マグネットに当接する位置決め部が設けられていることを特徴とする請求項１に記載の駆動装置。
【請求項３】
前記当接部は、前記ヨークに当接する第１の当接面と前記マグネットに当接する第２の当接面とを有しており、前記第２の当接面は、前記第１の当接面と同一の面もしくは前記第１の当接面よりも光軸側に配置された面であることを特徴とする請求項１又は２に記載の駆動装置。
【請求項４】
前記ヨークには、前記マグネットの光軸方向一端面に当接する第１のマグネット位置決め部が設けられ、前記位置決め部は、前記マグネットの光軸方向他端面に当接する第２のマグネット位置決め部を有することを特徴とする請求項１から３のいずれか一つに記載の駆動装置。
【請求項５】
前記ヨークは、前記固定鏡筒の外側に露出していることを特徴とする請求項１から４のいずれか一つに記載の駆動装置。
【請求項６】
請求項１から５のいずれか一つに記載の駆動装置を含むことを特徴とする光学機器。
【請求項７】
固定鏡筒に対して光軸方向に移動可能なレンズを備えたレンズ鏡筒であって、
前記レンズ側に固定されたコイルと、
前記固定鏡筒側に取り付けられたマグネットおよびヨークと、を有し、
前記固定鏡筒には、前記マグネットの磁力を用いて前記マグネットおよび前記ヨークを固定する当接部が設けられていることを特徴とするレンズ鏡筒。
【請求項８】
請求項７に記載のレンズ鏡筒を含むことを特徴とする光学機器。
【手続補正２】
【補正対象書類名】明細書
【補正対象項目名】発明の名称
【補正方法】変更
【補正の内容】
【発明の名称】駆動装置、レンズ鏡筒及び光学機器
【手続補正３】
【補正対象書類名】明細書
【補正対象項目名】０００９
【補正方法】変更
【補正の内容】
【０００９】
上記課題を解決するために、本願発明の駆動装置は、固定鏡筒に対してレンズを光軸方向に駆動する。そして、該駆動装置は、レンズ側に固定されたコイルと、固定鏡筒側に取付けられたマグネットおよびヨークと、を有し、固定鏡筒には、マグネットの磁力を用いてマグネットおよびヨークを固定する当接部が設けられていることを特徴とする。
【手続補正４】
【補正対象書類名】明細書
【補正対象項目名】００１０
【補正方法】変更
【補正の内容】
【００１０】
本願発明のレンズ鏡筒は、固定鏡筒に対して光軸方向に移動可能なレンズを備える。該レンズ鏡筒は、レンズ側に固定されたコイルと、固定鏡筒側に取付けられたマグネットおよびヨークと、を有し、固定鏡筒には、マグネットの磁力を用いてマグネットおよびヨークを固定する当接部が設けられていることを特徴とする。
【手続補正５】
【補正対象書類名】明細書
【補正対象項目名】００１６
【補正方法】変更
【補正の内容】
【００１６】
レンズ保持枠１には、略角筒状の空芯のコイル５とコイル５に通電する為のフレキシブルプリント基板９が固定されている。コイル５は、レンズ保持枠１のガイドバー３を挿通するスリーブ部１ａ側に配置される事で、スムーズに駆動力を伝達している。このようにレンズ保持枠１であるレンズ側にコイル５が固定されている。
【手続補正６】
【補正対象書類名】明細書
【補正対象項目名】００１７
【補正方法】変更
【補正の内容】
【００１７】
固定鏡筒としてのホルダー鏡筒２は、不図示の撮像素子であるＣＣＤと赤外カットおよびローパスフィルターを固定保持している。
【手続補正７】
【補正対象書類名】明細書
【補正対象項目名】００１８
【補正方法】変更
【補正の内容】
【００１８】
また、ホルダー鏡筒２には、ヨーク６，７およびマグネット８が固定保持されるが、詳細については後述する。ヨーク６はコの字形状とされ、光軸に沿う方向に延びた構成とされ、その内側にマグネット８が保持されている。ヨーク６には上記のコイル５の空芯部分が挿通されており、コイル５とヨーク６、マグネット８とは所定の間隔を空けてホルダー鏡筒２である固定鏡筒側に配置されている。
【手続補正８】
【補正対象書類名】明細書
【補正対象項目名】００１９
【補正方法】変更
【補正の内容】
【００１９】
マグネット８は、第１の方向である光軸方向に延びており、光軸に直交する方向に磁化されている。ヨーク６の光軸方向における開口部には、ヨーク７が保持されている。コイル５、ヨーク６，７およびマグネット８によりレンズ駆動用のアクチュエータとしてのボイスコイルモータ（リニアアクチュエータ）が構成される。
【手続補正９】
【補正対象書類名】明細書
【補正対象項目名】００２５
【補正方法】変更
【補正の内容】
【００２５】
図１及び図２において、ヨーク６には、凹部６ａが形成されており、この凹部６ａには、ホルダー鏡筒２に設けられた凸部２ａ(位置決め部)が係合している。これにより、ヨーク６を第１の方向である光軸方向および光軸に直交する第２の方向であるＸ軸方向において位置決めすることができる。
【手続補正１０】
【補正対象書類名】明細書
【補正対象項目名】００２６
【補正方法】変更
【補正の内容】
【００２６】
また、光軸方向に並んで配置される凹部６ａの間には、リブ部６ｂが設けられており、このリブ部６ｂは、後述するマグネット８の磁力によって、ホルダー鏡筒２の平面部２ｂ（当接部）に当接している。これにより、ヨーク６を光軸に直交するＹ軸方向にて位置決めすることができる。
【手続補正１１】
【補正対象書類名】明細書
【補正対象項目名】００２７
【補正方法】変更
【補正の内容】
【００２７】
上述のように、ホルダー鏡筒２に対しヨーク６が光軸方向、光軸に直交するＸ軸方向及び光軸に直交するＹ軸方向にて位置決めされた状態で、マグネット８をヨーク６の中に組み込むと、マグネット８は、ホルダー鏡筒２に設けられた凸部２ａの平面部２ｃ（当接部）に当接し、マグネット８の磁力によって、ヨーク６との間に吸引力が発生し、Ｙ軸方向にて位置決めされる。
【手続補正１２】
【補正対象書類名】明細書
【補正対象項目名】００２８
【補正方法】変更
【補正の内容】
【００２８】
また、マグネット８は、ホルダー鏡筒２の壁面２ｄ（位置決め部）に係合することにより、Ｘ軸方向にて位置決めされる。
【手続補正１３】
【補正対象書類名】明細書
【補正対象項目名】００２９
【補正方法】変更
【補正の内容】
【００２９】
さらに、マグネット８は、ヨーク６に設けられた光軸方向一端面である凸部６ｃ（第１のマグネット位置決め部）およびホルダー鏡筒２に設けられた光軸方向他端面であるリブ部２ｅ(位置決め部、第２のマグネット位置決め部)によって光軸方向にて位置決めされる。
【手続補正１４】
【補正対象書類名】明細書
【補正対象項目名】００３０
【補正方法】変更
【補正の内容】
【００３０】
この時、ホルダー鏡筒２のヨーク６を受ける平面部２ｂ（第１の当接面）とマグネット８を受ける平面部２ｃ（第２の当接面）との間隔をｔとすると、図４に示すように、
ｔ  ≧  ０
なる条件を満足するのが好ましい（つまり、第１の当接面と第２の当接面とが同一の面、あるいは、第２の当接面が第１の当接面より光軸側に位置することが好ましい）。
【手続補正１５】
【補正対象書類名】明細書
【補正対象項目名】００４２
【補正方法】変更
【補正の内容】
【００４２】
図６及び図７において、ヨーク１０６には、凹部１０６ａが形成されており、この凹部１０６aには、ホルダー鏡筒１０２に設けられた凸部１０２ａ（位置決め部）が係合している。これにより、ヨーク１０６を、光軸方向および光軸に直交するＸ軸方向にて位置決めすることができる。
【手続補正１６】
【補正対象書類名】明細書
【補正対象項目名】００４３
【補正方法】変更
【補正の内容】
【００４３】
また、光軸方向に並んで配置される凹部１０６aの間には、リブ部１０６ｂが設けられており、このリブ部１０６ｂは、ホルダー鏡筒１０２の平面部１０２ｂ（当接部）に当接している。これにより、ヨーク１０６を光軸に直交するＹ方向にて位置決めすることができる。
【手続補正１７】
【補正対象書類名】明細書
【補正対象項目名】００４４
【補正方法】変更
【補正の内容】
【００４４】
上述のように、ホルダー鏡筒１０２に対しヨーク１０６が光軸方向、光軸に直交するＸ軸方向、光軸に直交するＹ軸方向にて位置決めされた状態で、マグネット１０８を組み込むと、マグネット１０８はホルダー鏡筒１０２に設けられた凸部１０２ａの平面部１０２ｃ（当接部）に突き当たり、マグネット１０８の磁力によって、ヨーク１０６との間に吸引力が発生し、Ｙ軸方向にて位置決めされる。
【手続補正１８】
【補正対象書類名】明細書
【補正対象項目名】００４５
【補正方法】変更
【補正の内容】
【００４５】
また、マグネット１０８は、ホルダー鏡筒１０２の壁面１０２ｄ（第２の位置決め部）に係合することにより、光軸に直交するＸ軸方向にて位置決めされる。
【手続補正１９】
【補正対象書類名】明細書
【補正対象項目名】００４６
【補正方法】変更
【補正の内容】
【００４６】
さらに、マグネット１０８は、ホルダー鏡筒１０２に設けられた凸部１０２ｆおよびリブ部１０２ｅ（第２の位置決め部）によって光軸方向にて位置決めされ、マグネット１０８、ヨーク１０６およびホルダー鏡筒１０２がマグネット１０８の磁力によって、一体化された状態となる。